(57)【要約】【課題】電話機のベル駆動用正弦波形を単純、安価に構成する。【解決手段】電話機、ファクシミリ機能付きのプリンター、複写機等を含む子電話付きのファクシミリ装置に使用される電話交換機、ファクシミリ装置のベル駆動用回路において、ベル駆動周波数と同期したパルスを発生させる手段と、オペアンプを用いて矩形波を正弦波に成形するフィルター手段と、成形された正弦波をレベルシフトさせる為の手段と、を持つことを特徴とする。【選択図】        図１
2004166099.tif 000002
【特許請求の範囲】
【請求項１】
ベル駆動用回路において、
ベル駆動周波数と同期したパルスを発生させる手段と、
オペアンプを用いて矩形波を正弦波に成形するフィルター手段と、
成  形された正弦波をレベルシフトさせる為の手段と、
を持つことを特徴とする
【請求項２】
請求項１において、前記パルスは通信装置本体のＣＰＵから送られることを特徴とする。
【請求項３】
請求項１において、発生するパルスの周波数をソフト的に可変とすることで、ベル音を変えることが出来ることを特徴とする。
【発明の詳細な説明】
【０００１】
【発明の属する技術分野】
本発明は電話交換機等で使用されるベル駆動回路に関する。
【０００２】
【従来の技術】
電話交換機のベルを鳴らす為の波形として周波数が１６Ｈｚで振幅が１５０〜２００Ｖｐ−ｐ程度の正弦波が必要とされている。従来このベル駆動用正弦波を生成する為の回路として、代表的な方式としては図５に示すようなウィーンブリッヂ発振器によって作られた出力波形をＢ級増幅器で増幅してトランスでレベルシフトする方法が一般的である。この方式を従来例１とする。
【０００３】
簡単に回路動作を説明すると、図中ＯＳＣと記載したオペアンプとその周辺回路からなるウィーンブリッヂ発振器により、必要とされる周波数の発振波形を作り出し、この発振器の出力に接続された図中ＡＭＰＬＩＴＵＤＥと記載した二つのトランジスタによる増幅回路によりトランスを駆動して出力側にドライブ波形を作り出している。
【０００４】
この方式の場合発振器周辺回路の定数により、発振周波数は固定され、ベルの音色を変化させる為に周波数を変化させようとした場合、発振器周辺回路内の部品定数を可変として、これを外部より人手によって操作する他無い。
【０００５】
その他の例としては図６に示すようなパルス幅制御によるインバーター回路による波形生成が挙げられる。この方式を従来例２とする。また、図中に１から５の数字で示した各部分における波形を図７に示す。
【０００６】
回路動作を簡単に説明すると、図中左上＋Ｖに入力された直流の電圧を４つのスイッチ素子により、出力が低周波の正弦波となるように図中左下のＰＷＭ  ＣＯＮＴＲＯＬＥＲによってパルス幅を調整しながら順次オン、オフさせると、トランス入力部１には図７の１のようなパルス波形が入力される。トランスを介して伝達された波形は４つのダイオードにより全波整流され、次にライン間に接続されたコンデンサによって平滑されて図７の４のような波形となる。この波形を出力側に設けられたスイッチを順次開閉することで最終的には図７の５のような周期の長い正弦波を作ることが可能となる。
【０００７】
この方式の場合にはパルス幅の調整によって周波数の変更等も可能であるが、複数の半導体素子、ＰＷＭ制御用のＩＣ等を使用する為、回路が複雑となり、また、コストが割高となる為、低コストを追求する場合には向かない。
【０００８】
また、低コスト化、回路の簡素化のため、正弦波を使用せずに矩形波で簡易的にベルを駆動する方法も使われているが、この場合にはベル側に直列に接続されたコンデンサの影響により、パルスの立上り、立下りが急峻過ぎると、特定の電話機ではベルが鳴らないという問題点があり、波形を鈍らせたり、正弦波の場合よりも振幅を余計に取るなどの工夫が必要であった。
【０００９】
【発明が解決しようとする課題】
本発明は電話機のベル駆動用正弦波形を単純、安価に構成することを目的とする。
【００１０】
【課題を解決するための手段】
本発明では上記の課題を解決するため必要な周波数と同じ周波数の矩形パルス信号を与えればこのパルスをフィルタ回路に通して正弦波を抽出し、これをトランスによってレベルシフトさせることでベル駆動用波形を作り出し、必要であればソフト的なコントロールにより、コントローラーからのパルス信号の周波数を変化させてベルの音色をコントロールできることを特徴とする。
【００１１】
【発明の実施の形態】
（実施例１）
図１は本発明の第一の実施例を示す回路図、図２は回路ブロック図を示している。
【００１２】
図１、図２の回路図、ブロック図を元に動作の流れを説明すると、ブロック図にあるパルス発振器とは、着信時に１６Ｈｚ等の矩形パルスを出力する回路であり、この回路によってパルスが出力されると、このパルスは波形成形用フィルタ回路に入力される。このパルス発振器は矩形波を作るだけの回路であれば、安価なＩＣを使ってもよいし、トランジスタやコンパレータ−等を使用して簡単に作製することも可能である。
【００１３】
パルスが入力されるフィルタ回路はバンドパスフィルタであり、矩形波の高調波成分を取り除いて、基本波成分の正弦波のみを出力として取り出す。
【００１４】
図４にこのフィルタ回路をシミュレーションした場合の入出力波形例を示す。矩形パルスが入力、正弦波が出力波形である。これより、入力の矩形パルスと同期して出力に正弦波が出ることが確認できる。
【００１５】
次にフィルタによって生成された正弦波をレベルシフト用のトランスに入力すると、トランスの巻数比によってレベルシフトされた波形がトランス出力に現れる。トランスの巻数比の設定により、振幅の調整が可能である。
【００１６】
通常ベル駆動回路ではこの正弦波形に直流電圧を重畳して出力するため、図１の回路図ではＤＣＤＣコンバーターにより直流重畳分の電圧を作り、重畳している。
【００１７】
以上により生成された正弦波形を電話機に入力することでベルを鳴らすことが可能となる。
【００１８】
実施例１によればシンプルで安価な回路構成により電話機、ファクシミリ装置の子電話等のベル駆動用正弦波形を生成することが可能となる。
【００１９】
（実施例２）
図３に実施例２の回路ブロック図を示す。
【００２０】
本実施例では電話交換機、ＦＡＸ装置、またはＦＡＸを搭載するプリンターや複写機などのＣＰＵからベル着信時にパルス波形を出力させる構成となっており、着信を検知すると、ＣＰＵがパルスを発生する構成にして、パルス発生時間等を設定することで留守番電話の設定等を全てＣＰＵからソフト的に管理することが可能となる。
【００２１】
実施例２によれば、ＣＰＵによる駆動用パルス生成によってシステムとしての制御がシンプルで安価な回路で実現可能となる。
【００２２】
（実施例３）
本実施例では実施例２のＣＰＵからの発振パルスをソフトウエア上で制御し、ユーザーが例えばインターフェイスとなるボタンやパネルから着信音の音色の設定をすることにより、発振パルスの周波数を可変とし、従来部品の発振回路の部品定数を可変にして手動で調整することしかできなかった音色の調整をソフト制御で可能にするものである。
【００２３】
実施例３によれば、ソフトウエア制御により着信音色の設定がシンプルで安価な回路で実現できる。
【００２４】
【発明の効果】
以上のように本発明によれば、シンプルで安価な回路構成により電話機、ファクシミリ装置の子電話等のベル駆動用正弦波形を生成することが可能となる。
【図面の簡単な説明】
【図１】実施例１の回路図
【図２】実施例１のブロック図
【図３】実施例２のブロック図
【図４】実施例１の回路図のシミュレーション波形
【図５】従来例１を示す回路図
【図６】従来例２を示す回路図
【図７】図６の回路図の各部分における波形
【図１】
2004166099.tif 000003
【図２】
2004166099.tif 000004
【図３】
2004166099.tif 000005
【図４】
2004166099.tif 000006
【図５】
2004166099.tif 000007
【図６】
2004166099.tif 000008
【図７】
2004166099.tif 000009